(57)【要約】【課題】地震や水害等のあらゆる災害の際に避難用として使用できる防災用シェルターを提供すること。【解決手段】防災用シェルター１は、地震時及び水害時に、避難者Ｍが一時的に避難する避難用空間１１を内部に有する。防災用シェルター１は、前記避難用空間（１１）を形成する樹脂製のシェルター本体２と、このシェルター本体２に形成された出入口１２と、この出入口１２を開閉する扉部材１６と、を有している。シェルター本体２の内底には、飲料水Ｗを貯蔵するバランサー水床３を設けている。【選択図】図１
2013036180.tif 000002
【特許請求の範囲】
【請求項１】
内部に避難用空間を有する防災用シェルターであって、
前記避難用空間を形成する樹脂製のシェルター本体と、
前記シェルター本体に形成された出入口と、
前記出入口を開閉する扉部材と、を有し、
前記シェルター本体の内底に、飲料水を貯蔵するバランサーを設けたことを特徴とする防災用シェルター。
【請求項２】
前記バランサーは、前記シェルター本体の凹面状に形成された内底部と、
前記内底部の周縁部に載設されて前記凹面状に形成された部位を閉塞する蓋体と、によってタンクを形成し、
前記蓋体には、前記バランサー内に前記飲料水を出し入れするための水栓弁が設けられていることを特徴とする請求項１に記載の防災用シェルター。
【請求項３】
前記シェルター本体は、中空の球状体からなり、当該シェルター本体の外壁部が積層部材で形成されて、内壁部が緩衝材で形成されると共に、水上に配置された場合に、水面を浮遊可能に形成され、
前記積層部材は、ＦＲＰ樹脂と、ロービングクロスと、コア層と、ガラス繊維とが積層されてなることを特徴とする請求項１または請求項２に記載の防災用シェルター。
【請求項４】
前記シェルター本体内には、上端部を前記シェルター本体の天井部に固定し、下端部を前記蓋体に固定した掴まりバーが設けられていることを特徴とする請求項１ないし請求項３のいずれか一項に記載の防災用シェルター。
【請求項５】
前記シェルター本体は、当該シェルター本体の外側底部を、床面上または地面上に配置され、略筒状に形成された平置台座の上側開口部上に係合することによって支持されていることを特徴とする請求項１ないし請求項３のいずれか一項に記載の防災用シェルター。
【請求項６】
前記シェルター本体には、当該シェルター本体の外周面に、連結部材を介してアンカーが連結されていることを特徴とする請求項１ないし請求項５のいずれか一項に記載の防災用シェルター。
【請求項７】
前記シェルター本体の上部には、前記避難空間と大気中とに連通する空気口と、
当該空気口を開閉する空気口ハッチと、
が設けられていることを特徴とする請求項１ないし請求項６に記載の防災用シェルター。
【請求項８】
前記シェルター本体には、当該シェルター本体の上部に前記出入口及び前記扉部材が設けられると共に、
当該シェルター本体内の前記出入口の周辺部には、梯子を着脱自在に設置するための梯子取付部が設けられていることを特徴とする請求項１ないし請求項３のいずれか一項に記載の防災用シェルター。
【請求項９】
前記シェルター本体は、前記出入口以外の当該シェルター本体全体、または、当該シェルター本体の下部を地中に埋設したことを特徴とする請求項８に記載の防災用シェルター。
【発明の詳細な説明】
【技術分野】
【０００１】
本発明は、地震、崖崩れ、津波、洪水等の災害の際に、人命を安全に確保するために避難する防災用シェルターに関する。
【背景技術】
【０００２】
近年、東日本大震災、阪神・淡路大震災、新潟県中越地震等の大規模の地震が発生し、崩れて来た屋根の下敷きになったり、崖崩れの土砂に埋もれたりして、尊い人命が失われている。その他、地震による津波や、大雨による洪水等の災害で、多くの人命が落されている。今後、地殻変動による同規模の大地震や、また、地球温暖化等の異常気象による大雨や集中豪雨によって河川の氾濫、土石流、土砂災害、山崩れ等の災害が発生するおそれがあることが指摘されており、災害時に人命を自ら各自で確保するための対策を準備しておくことが不可欠になっている。
【０００３】
このような地震発生時に、倒壊した家屋に押し潰されて圧死したり、あるいは、家屋や瓦礫等の落下物の下敷きになるのを防止するための地震対策用の装置としては、例えば、特許文献１に開示された地震用シェルター（防災用シェルター）が知られている。
【０００４】
その地震用シェルターは、スチールパイプ製の枠材と、枠材の端部が嵌合されるガイドパイプ部を有する継手と、継手に取り付けられ耐震強度を付与するための鉄板製の補強板と、枠材を継手へ固定させる固定手段と、を骨組として組立構築体からなる。その地震用シェルターは、金属製の骨組構造とすることで、地震時の倒壊する家屋に押し潰されるのを防止する強度を備えると共に、一時的に避難場所として使用可能にしている。
【０００５】
その他、津波用として開発された防災用シェルターとしては、例えば、特許文献２に記載された津波防災シェルターが知られている。この津波防災シェルターは、一辺が８０ｃｍの正方形の鋼板１８枚と、一辺が８０ｃｍの正三角形の鋼板８枚との合計２６枚の鋼板をアーク溶接して連結し、中空状の二十六面体に形成されたシェルターである。
【先行技術文献】
【特許文献】
【０００６】
【特許文献１】特開平８−２１８６７３号公報（図１、図２及び図１５）
【特許文献２】特開２００６−４６０４９号公報（特許請求の範囲、図１〜図５）
【発明の概要】
【発明が解決しようとする課題】
【０００７】
しかしながら、特許文献１に記載されたような地震用シェルターは、組み立て及び分解が可能で、耐震強度を備えているものの、多数の金属製枠材、金属製継手、鉄板製補強板及び固定手段によって構築体を形成しているため、構成部品が多く、構造が複雑で、全体の重量が重く、津波等の水害に使用できないという問題点があった。
つまり、前記特許文献１の地震用シェルターは、金属製の枠材と保護板から主に構成されているので、地震用としては優れているものの、洪水等の水害時には、水没してしまうため、津波等の水害に使用できない。
【０００８】
また、特許文献２に記載の津波防災シェルターも、特許文献１の地震用シェルターと同様に、構成部品の部品点数が多く、その全体が鋼板等の金属のみから形成されて重いため、組み立てる際の組立性が悪く、さらに、運搬する際に容易に運ぶことができず、運搬性が悪いという問題点があった。
また、特許文献２の津波防災シェルターは、一辺が８０ｃｍの底面中央部に重心移動重り３段が配置されてバランスを図っているものの、外周面が平板材で形成されているので、河川の氾濫時や津波の際に大きな波を受けたときや、土石流や瓦礫等の障害物が衝突したときに、抵抗を受け易いため、バランスを崩し易くなっている。
このため、その大きな波を受けたときや、障害物が衝突したときであっても、さらに安定した平な状態を保つことが可能で、あらゆる災害に対応することができる多機能的な防災用シェルターが要望されていた。
【０００９】
そこで、本発明は、前記問題点を解消すべく発明されたものであり、地震や水害等のあらゆる災害の際に避難用として使用できる防災用シェルターを提供することを課題とする。
【課題を解決するための手段】
【００１０】
前記課題を解決するために、本発明に係る防災用シェルターは、内部に避難用空間を有する防災用シェルターであって、前記避難用空間を形成する樹脂製のシェルター本体と、前記シェルター本体に形成された出入口と、前記出入口を開閉する扉部材と、を有し、前記シェルター本体の内底に、飲料水を貯蔵するバランサーを設けたことを特徴とする。
【００１１】
かかる構成によれば、大きな地震や大きな津波があった際に、避難者は、防災用シェルターの扉部材を開けて出入口から避難用空間内に入って扉部材を閉めることにより、シェルター本体内に避難することができる。防災用シェルターは、全体が樹脂製のシェルター本体からなることによって、従来の金属製シェルターと比較して軽量であるため、移動及び搬送を容易に行うことができる。
防災用シェルターは、例えば、洪水や津波等の水害の際に、水上に浮かべると、床面にあるバランサーが、シェルター本体を水平な安定した状態を保つことができるので、水害の際の簡易型緊急用ボートや、避難筏としても使用することが可能である。また、防災用シェルターを地面上に配置した場合には、バランサー内に貯蔵された飲料水が、シェルター本体が横風等の横方向からの荷重を受けたとしても、飲料水の重さで防災用シェルターを安定した状態に保つ重心釣合い装置として機能する。
また、避難者は、地震や津波や洪水等のあらゆる災害時に、一時的に避難して身の安全を守る緊急避難用のシェルターとして使用することができると共に、避難時に、シェルター本体内の床下のバランサーに貯蔵された飲料水を飲むことができる。このため、防災用シェルターが津波によって海に流れた場合や、瓦礫や鉄骨等の下敷きのままの状態の場合であっても、避難者は、その飲料水を飲むことにより、長時間に亘って避難できるため、人命を確保することが可能となる。
その結果、防災用シェルターは、あらゆる災害の際に、多くの人命を救うことができる防災設備及び避難具として役立つことができる。
【００１２】
また、防災用シェルターの前記バランサーは、前記シェルター本体の凹面状に形成された内底部と、前記内底部の周縁部に載設されて前記凹面状に形成された部位を閉塞する蓋体と、によってタンクを形成し、前記蓋体には、前記バランサー内に前記飲料水を出し入れするための水栓弁が設けられていることが好ましい。
【００１３】
かかる構成によれば、バランサーは、シェルター本体の凹面状に形成された内底部と、内底部の周縁部に載設されて凹面状に形成された部位を閉塞する蓋体と、によってタンクが形成されていることにより、常に、そのタンク内に飲料水を常備して災害時のために備えておくことができる。その飲料水を使用する際には、水栓弁を開ければ、容易にタンク内から飲料水が出て来るので、飲料水を確保することができる。
【００１４】
また、前記シェルター本体は、中空の球状体からなり、当該シェルター本体の外壁部が積層部材で形成されて、内壁部が緩衝材で形成されると共に、水上に配置された場合に、水面を浮遊可能に形成され、前記積層部材は、ＦＲＰ樹脂と、ロービングクロスと、コア層と、ガラス繊維とが積層されてなることが好ましい。
ここで、強化プラスチックとは、例えば、ＦＲＰ（Fiber Reinforced Plastic）樹脂といわれているガラス繊維強化プラスチックである。
【００１５】
かかる構成によれば、シェルター本体は、中空の球状体からなることによって、多角形のものと比較して角及び平面な箇所が無い分、転動した際や、障害物あるいは波が衝突した際に、外圧や強い衝撃力を受けに難い形状をしていると共に、水に浮く構造をしている。このため、防災用シェルターは、従来の金属製のシェルターと比較して、軽量で転動し易いので、摺動させたり、移設させたりすることが容易にできると共に、地面上に設置する避難用シャルターとして使用可能にしたり、水面に浮く浮上型避難用カプセル（避難用ボート）として使用可能にする。つまり、防災用シェルターは、あらゆる災害時使用できる防護用カプセルとしての機能も果たす。
さらに、防災用シェルターは、シェルター本体の外壁部が、ＦＲＰ樹脂と、ロービングクロスと、コア層と、ガラス繊維とが積層されてなる積層構造になっているため、鉄等の金属と比較して、軽くて、強度があり、耐久性、耐水性、耐候性、耐食性、耐燃性に優れている。その結果、この防災用シェルターは、家屋が倒壊して建材が落下してきたり、崖崩れで土砂や岩等が落ちてきたりした場合であっても、落下物によって避難者（利用者）が押し潰されるのを防護することが可能である。
【００１６】
また、前記シェルター本体内には、上端部を前記シェルター本体の天井部に固定し、下端部を前記蓋体に固定した掴まりバーが設けられていることが好ましい。
【００１７】
かかる構成によれば、防災用シェルターは、シェルター本体内に掴まりバーが設けられていることにより、防災用シェルターを地面上に配置して横風等を受けて揺れたり、または、水面上で波を受けて揺れたりした場合に、避難者が、その掴まりバーに掴まることができる。
【００１８】
また、前記シェルター本体は、当該シェルター本体の外側底部を、床面上または地面上に配置され、略筒状に形成された平置台座の上側開口部上に係合することによって支持されていることが好ましい。
【００１９】
かかる構成によれば、シェルター本体は、床面上または地面上に配置された平置台座上に載置することによって、球状体の形状をしたシェルター本体を平置台座上に係合させた状態に維持することができるため、転がって移動するのを抑制することができる。
【００２０】
また、前記シェルター本体には、当該シェルター本体の外周面に、連結部材を介してアンカーが連結されていることが好ましい。
【００２１】
かかる構成によれば、シェルター本体は、その外周面に連結部材を介してアンカーが連結されていることによって、例えば、防災用シェルターを地面に埋設または地面上に配置した場合に、アンカーを地面に固定することで、シェルター本体が移動しないようにしっかりと地面に固定することができる。また、防災用シェルターを水面上で使用する場合には、アンカーを川底等に沈ませて係止させたり、岸等に固定したりすることにより、防災用シェルターが水等の流れによって流れないようにすることができる。
【００２２】
また、前記シェルター本体の上部には、前記避難空間と大気中とに連通する空気口と、当該空気口を開閉する空気口ハッチと、が設けられていることが好ましい。
【００２３】
かかる構成によれば、シェルター本体は、避難空間内から大気中に連通する空気口が設けられていることによって、外気をシェルター本体内に取り入れることができる。このため、避難者は、防災用シェルター内に長期間にわたって避難することができる。また、空気口から水や海水や雨水等が浸入するような場合には、空気口ハッチによって空気口を閉塞することにより、水等の浸入を防ぐことができる。
【００２４】
また、前記シェルター本体には、当該シェルター本体の上部に前記出入口及び前記扉部材が設けられると共に、当該シェルター本体内の前記出入口の周辺部には、梯子を着脱自在に設置するための梯子取付部が設けられていることが好ましい。
【００２５】
かかる構成によれば、防災用シェルターは、シェルター本体の上部に出入口及び扉部材が設けられている場合、シェルター本体内の出入口の周辺部に設けられた梯子取付部に梯子を着脱自在に固定して、その梯子を利用することによって、防災用シェルター内外への出入りを容易に行えるようにすることができる。
【００２６】
また、前記シェルター本体は、前記出入口以外の当該シェルター本体全体、または、当該シェルター本体の下部を地中に埋設されていることが好ましい。
【００２７】
かかる構成によれば、防災用シェルターは、シェルター本体の出入口以外を地中に埋設したことにより、普段、邪魔にならない地中に設置することができる。そして、災害時には、地面から現れている扉部材を開けて、防災用シェルター内に逃げ込むことができる。
また、シェルター本体は、当該シェルター本体の下部を地中に埋設したことにより、球体形状の防災用シェルターが転動しないように土によって固定することができる。なお、防災用シェルターは、長期間土の中に入れたままにしたり、雨ざらしにしたりしても、腐ったり、錆びたりすることがない。
【発明の効果】
【００２８】
本発明に係る防災用シェルターによれば、大地震の際には、出入口からシェルター本体内の避難用空間に入り込むことにより、シェルター本体によって落下して来る建造物や流動して来る障害物から避難者の身を守り、安全に避難することができる。また、防災用シェルターは、全体が樹脂製であるので、軽量であるため、移動性及び運搬性がよく、適宜な場所へ容易に移設することができる。さらに、防災用シェルターは、バランサーを有しているので、洪水や津波の際に水面に浮かべた場合、横方向から負荷を受けても、安定した状態に保つことができるため、簡易型避難用ボート及びカプセル状避難用筏としても使用できる。また、そのバランサーには、飲料水を貯蔵することができるので、例えば、防災用シェルターが津波によって海に流れた場合や、瓦礫等の下敷きになって長時間滞在した場合に、その飲料水を飲むことにより、長時間に亘って避難して人命を確保することができる。
このように、防災用シェルターは、地震、崖崩れ、土砂災害、洪水、津波等のあらゆる災害時に、人命を救うことがでる避難用小型シェルター、防災設備及び避難具として役立つことができる。
【００２９】
本発明に係る防災用シェルターによれば、バランサーは、タンクの機能を果たすので、常に、そのタンク内に飲料水を常備して災害時に備えておくことができる。また、水栓弁を開弁すれば、タンク内の飲料水が放出されるので、緊急用貯蔵タンクとして使用することができる。
【００３０】
本発明に係る防災用シェルターによれば、シェルター本体は、中空の球状体からなることによって、障害物あるいは波が衝突した際に、外圧や強い衝撃力を受けに難い（受け流す）形状をしていると共に、水に浮く構造をしているので、地面上に置いて使用する災害時用防護カプセルと使用したり、水面に浮く浮上型救命カプセルとして使用したりすることができる。
さらに、防災用シェルターは、シェルター本体の外壁部が、ＦＲＰ樹脂と、ロービングクロスと、コア層と、ガラス繊維とが積層されてなる積層構造になっているため、軽くて、熱に強く、難燃性で、高い強度を備えている。その結果、この防災用シェルターは、倒壊して落下して来る建材や、崖崩れで落下して来る土砂や、岩等の落下物によって避難者（利用者）が押し潰されるのを防護することができる。
【００３１】
本発明に係る防災用シェルターによれば、防災用シェルターは、シェルター本体内に掴まりバーがあることにより、防災用シェルターを地面上に配置して横風等を受けて揺れたり、または、水面上で波を受けて揺れたりした場合に、その掴まりバーに掴まることによって、避難者の体が移動するのを抑制するのに役立つ。
【００３２】
本発明に係る防災用シェルターによれば、シェルター本体は、平置台座上に載置することによって、全体が球状をしていても、床面上または地面上に転動することなく安定した状態に配置することができる。
【００３３】
本発明に係る防災用シェルターによれば、シェルター本体は、このシェルター本体に連結部材を介して連結されたアンカーを地面等に固定することにより、シェルター本体が洪水や津波等によって移動しないようにしっかりと固定することができる。
【００３４】
本発明に係る防災用シェルターによれば、シェルター本体は、空気口が設けられていることによって、避難用空間内に大気を取り入れて空気の交換を行うことができるため、酸欠状態になるのを防止することができる。また、空気口ハッチを閉塞することにより、水や海水や雨水等が避難用空間に浸入するのを阻止することができる。
【００３５】
本発明に係る防災用シェルターによれば、防災用シェルターは、出入口がシェルター本体の上部にあったとしても、出入口の周辺部の梯子取付部に梯子を着脱自在に固定していることによって、防災用シェルター内外への出入りする際に梯子に掴まって容易に出入りすることができる。
【００３６】
本発明に係る防災用シェルターによれば、防災用シェルターは、シェルター本体の出入口以外を地中に埋設したことにより、球体形状の防災用シェルターが転動しないように土内にしっかりと固定することができると共に、シェルター本体を落下して来る建材や土砂等よって押し潰されない状態に設置することができる。
【図面の簡単な説明】
【００３７】
【図１】本発明の実施形態に係る防災用シェルターの一例を示す概略分解斜視図である。
【図２】本発明の実施形態に係る防災用シェルターの一例を示す図であり、平置台座上に防災用シェルターを配置したときの状態を示す概略側面図である。
【図３】本発明の実施形態に係る防災用シェルターの一例を示す一部断面を有する正面図である。
【図４】本発明の実施形態に係る防災用シェルターの一例を示す図であり、出入口を開閉する扉部材を示す要部拡大斜視図である。
【図５】本発明の実施形態に係る防災用シェルターの一例を示す図であり、出入口を開閉する扉部材の周縁部の構造を示す要部断面図である。
【図６】本発明の実施形態に係る防災用シェルターの扉部材を内側からロックするロック機構の一例を示す要部概略断面図である。
【図７】本発明の実施形態に係る防災用シェルターの扉部材を内側からロックするロック機構の一例を示す要部概略斜視図である。
【図８】本発明の実施形態に係る防災用シェルターの空気口の一例を示す要部概略斜視図である。
【図９】本発明の実施形態に係る防災用シェルターの一例を示す図であり、シェルター本体の部分拡大断面図である。
【図１０】本発明の実施形態に係る防災用シェルターの第１変形例を示す概略斜視図である。
【図１１】本発明の実施形態に係る防災用シェルターの第２変形例を示す図であり、防災用シェルターを避難用ボートとして使用しているときの状態を示す概略正面図である。
【図１２】本発明の実施形態に係る防災用シェルターの第２変形例を示す図であり、扉部材と出入口を示す要部概略分解斜視図である。
【図１３】本発明の実施形態に係る防災用シェルターの第２変形例を示す図であり、ロック機構を示す要部概略拡大断面図である。
【図１４】本発明の実施形態に係る防災用シェルターの第３変形例を示す概略断面図である。
【図１５】本発明の実施形態に係る防災用シェルターの第４変形例を示す概略断面図である。
【図１６】本発明の実施形態に係る防災用シェルターの第５変形例を示す概略側面図である。
【発明を実施するための形態】
【００３８】
次に、図１〜図９を参照して、本発明に係る防災用シェルターを実施するための形態（以下「実施形態」という）を説明する。
【００３９】
≪防災用シェルターの構成≫
図１に示すように、防災用シェルター１は、大地震や津波や崖崩れ等の災害時に、避難者Ｍ（図１４参照）が、崩れて来た家屋の屋根や建材や土砂や瓦礫等の落下物の下敷きになったり、押し潰されたりするのを防護すると共に、さらに、津波や洪水等の水害時に、緊急用のカプセル状避難筏としても使用することが可能な災害用の避難器具（シェルター）である。防災用シェルター１は、内部が空洞な大型の略球体形状をしたものからなる。
【００４０】
防災用シェルター１は、それぞれ後記する避難用空間１１と、出入口１２と、空気口１５と、扉部材１６と、シェルター本体２と、バランサー水床３（バランサー）と、把持部１３と、ヒンジ部材１４（図２参照）と、平置台座４と、掴まりバー５と、ＳＯＳ発信装置（図示省略）と、を備えている。
【００４１】
防災用シェルター１は、例えば、側面に出入口１２、上部に空気口１５を有し、直径が１２００ｍｍ（４人用）〜２５００ｍｍ（２５人用）程度の略球状のドーム型の人員防護体であり、建物の屋内、屋外及び地中に配備することが可能な大きさに形成されている。
なお、本発明に係る防災用シェルター１は、河川の氾濫、土石流、津波等水害時及び船舶事故時の緊急用の避難筏や、大地震や崖崩れ、土砂災害等災害時に防災設備や、地下シェルターとして使用することも可能であるが、その一例として、大地震時に屋内及び屋外で使用する場合を例に挙げて説明する。
【００４２】
防災用シェルター１は、地震発生時（または、予震発生時や、緊急地震速報装置のお知らせがあったとき）に直ぐに避難者Ｍが、その防災用シェルター１に入り込んで避難するシェルターであり、家屋内の床面や庭の片隅等の直ぐに逃げ込むことが可能な適宜な場所に予め配置しておく。また、防災用シェルター１は、地震発生時やその他の災害時に崖崩れや、土砂崩れや、頭上から落下物が落下する危険性が予想される場所（屋内及び屋外）に配置しておくことが望ましい。さらに、防災用シェルター１は、水に浮くように形成されているため、津波や、洪水時の河川の氾濫が予想される場所に配置してもよい。防災用シェルター１は、全体が略球状でコンパクトに形成されたことによって、地震、崖崩れ、水害等のあらゆる災害の際に、落下する建造物、岩、水等が衝突する強い衝撃力や外圧に耐えるのに適した中空状の球体形状をしている。
【００４３】
＜避難用空間の構成＞
図１に示すように、避難用空間１１は、防災用シェルター１の内部空間であって、避難者Ｍが地震発生時及び崖崩れ発生時に、緊急避難場所として使用したり、地震発生後及び崖崩れ発生後の一時的な避難場所として使用したりするためのキャビン状の空間である。避難用空間１１は、シェルター本体２によって形成された略球状の内部空間からなる。
【００４４】
≪出入口の構成≫
出入口１２は、避難者Ｍが防災用シェルター１内の避難用空間１１に出入りするための出入り口であり、後記する扉部材１６によって開閉される。図４に示すように、出入口１２は、例えば、シェルター本体２の側面部位の一箇所に円形に形成された孔からなり、出入口１２の内周縁に全周に亘って環状に切欠形成された段差部１２ａを有している。
図４及び図５に示すように、段差部１２ａは、断面視して略Ｌ字状に切欠形成され、扉部材１６を閉塞した際に、扉部材１６の周縁部１６ａの切欠部１６ｂに設けられたシール材Ｏに圧縮した状態に圧接して出入口１２を密閉させて完全防水にする。段差部１２ａには、シール材Ｏが半分露出した状態で、このシール材Ｏが接着剤を介在して嵌着される環状溝１２ｂが形成されている。
環状溝１２ｂは、例えば、Ｏリングまたはゴムチューブからなる環状のシール材Ｏを装着される溝である。
【００４５】
≪扉部材の構成≫
図４及び図５に示すように、前記扉部材１６は、出入口１２を、水が浸入しないように密閉した状態に閉めることが可能な開閉体であり、シェルター本体２の内側及び外側から開閉し、ロック・アンロックできるようになっている。この扉部材１６は、円形の開閉板部材１６ｃと、開閉板部材１６ｃの周縁に形成された切欠部１６ｂと、開閉板部材１６ｃの中央部に設けられた覗き窓１６ｄと、覗き窓１６ｄの周縁に設けられた窓枠ゴム１６ｅと、開閉板部材１６ｃの外側寄りに設けられた取手１６ｆと、扉部材１６を閉塞状態にロックするロック機構１９と、ヒンジ部材１４と、を備えて構成されている。扉部材１６は、出入口１２を密閉状態にすることによって、防災用シェルター１を、水及び障害物から保護するカプセル状態にすることが可能なドアハッチである。
【００４６】
前記周縁部１６ａは、開閉板部材１６ｃの内側周縁部位であって扉部材１６を閉塞した際に、防災用シェルター１の出入口１２に内嵌するようになっている。
切欠部１６ｂは、周縁部１６ａの避難用空間１１側に形成され、扉部材１６を閉塞した際に、段差部１２ａに対して対向した位置に形成されている。
開閉板部材１６ｃは、例えば、出入口１２をシェルター本体２の外側から覆うようにして閉塞する樹脂製の厚板部材であり、後記するヒンジ部材１４を中心として回動自在に軸支されている。
【００４７】
≪覗き窓及び取手の構成≫
覗き窓１６ｄは、シェルター本体２内外から内外部を視認できるようにすると共に、太陽光を取り入れて避難用空間１１を明るくするための透明な強化ガラス、あるいは、透明な強化プラスチック等の透明部材で形成されている。
窓枠ゴム１６ｅは、覗き窓１６ｄの周縁とシェルター本体２の窓孔とを水密状態に嵌着させるためのシール部材であり、接着剤によって覗き窓１６ｄに接着されている。
取手１６ｆは、開閉板部材１６ｃを回動させる際に手で持つための摘みであり、開閉板部材１６ｃに設けられたロック機構１９寄りの位置に配置されている。この取手１６ｆは、例えば、ビニール製のロープ状部材からなる。
【００４８】
≪ヒンジ部材の構成≫
図４に示すように、ヒンジ部材１４は、開閉板部材１６ｃをシェルター本体２に対して開閉自在に回動させるための連結部材であり、ロック機構１９とは反対の位置に配置された蝶番からなる。このヒンジ部材１４は、シェルター本体２に固定され、軸棒挿入管を有する第１蝶番片１４ａと、開閉板部材１６ｃに固定され、軸棒挿入管を有する第２蝶番片１４ｂと、第１蝶番片１４ａの軸棒挿入管と第２蝶番片１４ｂの軸棒挿入管とに挿入して回動自在に連結する軸棒部材１４ｃと、から構成されている。
【００４９】
≪ロック機構の構成≫
図４、図６、図７に示すように、ロック機構１９は、シェルター本体２の内側から扉部材１６を密閉状態にロックするためのハッチ止め部材であり、防災用シェルター１の内側に設けられている。ロック機構１９は、扉部材１６の周縁部１６ａの近傍に設けられた第１係合部１９ａと、この第１係合部１９ａに対して対向した状態でシェルター本体２に設置された第２係合部１９ｂと、第１係合部１９ａ及び第２係合部１９ｂに係合、離脱してロック状態、アンロック状態にするロック部材１９ｃと、から主に構成されている。
【００５０】
第１係合部１９ａは、扉部材１６の内側面に接着剤によって固着される平板部１９ｄと、この平板部１９ｄに一体成形されたコ字状部１９ｅとからなる。第１係合部１９ａと第２係合部１９ｂは、扉部材１６において、ヒンジ部材１４とは反対である対称位置に配置されている。
【００５１】
なお、第１係合部１９ａ、第２係合部１９ｂは、図６及び図７に示すように、少なくとも、後記する鎌形部１９ｈが挿入、離脱できるものでればよく、以下、それぞれが一体形状の場合を例に挙げて説明する。
第２係合部１９ｂは、平板部１９ｆと、コ字状部１９ｇとを一体形成してなり、平板部１９ｆをシェルター本体２の外壁部２ａに接着剤で固着されている。
【００５２】
ロック部材１９ｃは、第１係合部１９ａと第２係合部１９ｂとを連結することによって、扉部材１６で出入口１２を閉塞した状態でシェルター本体２に固定してロック状態及びアンロック状態にするための部材である。このロック部材１９ｃは、前記鎌形部１９ｈと、この鎌形部１９ｈの基端部に連設された操作レバー部１９ｉと、この操作レバー部１９ｉを回動自在に軸支する軸支部１９ｊと、から構成されている。
【００５３】
鎌形部１９ｈは、第１係合部１９ａのコ字状部１９ｅ、及び、第２係合部１９ｂのコ字状部１９ｇに係合することによって、扉部材１６をロック状態にし、それらから離脱することにより、アンロック状態にする鎌形状（楔形状）のフック部材である。鎌形部１９ｈは、楔形状に形成されていることにより、操作レバー部１９ｉを操作した際に、楔の原理により扉部材１６を内側に引き込む方向に力がコ字状部１９ｇに働き、ガタツキなく締め付けることができる。
【００５４】
操作レバー部１９ｉは、防災用シェルター１の内側にいる者が扉部材１６を出入口１２に閉塞した状態にロックするとき、あるいは、そのロック状態を解除する際に、操作する棒状部材である。この操作レバー部１９ｉは、先端部に鎌形部１９ｈが設けられ、中央部に軸支部１９ｊが設けられている。図６及び図７に示すように、操作レバー部１９ｉは、例えば、矢印ａ方向に操作すると、この軸支部１９ｊを中心として鎌形部１９ｈが矢印ｂ方向に回動して、第１係合部１９ａ及び第２係合部１９ｂに挿入されてロック状態になるようになっている。
【００５５】
≪空気口の構成≫
図１に示すように、空気口１５は、防災用シェルター１外の外気を避難用空間１１内に流入させるための空気取入口用の窓であり、例えば、防災用シェルター１の上部の二箇所に設けられている。空気口１５は、後記するシェルター本体２の内壁部２ｂから外壁部２ａに貫通して形成された内径が３０ｍｍ程度の孔に、空気口ハッチ１７を嵌入してなる。空気口１５は、例えば、避難用空間１１内から空気口ハッチ１７を開閉操作することによって、大気中に連通するようになっている。
【００５６】
≪空気口ハッチの構成≫
図８に示すように、前記空気口ハッチ１７は、空気口１５を密閉した状態に閉めることが可能な開閉体であり、シェルター本体２（図１参照）に穿設された孔（図示省略）に内嵌された円筒部材１７ａと、この円筒部材１７ａの上部に一体形成された鍔部材１７ｂと、円筒部材１７ａ内に回動自在に軸支された弁体１７ｃと、弁体１７ｃに連結された弁体操作部材１７ｄと、からなる。
【００５７】
円筒部材１７ａは、上端部がシェルター本体２（図１参照）の孔の上部に配置され、下端部が避難用空間１１（図１参照）内に突出した状態に配置されている。
鍔部材１７ｂは、シェルター本体２の外側の孔の周縁部に接着剤で固定されている。
弁体１７ｃは、円筒部材１７ａを閉塞する円板状の部材からなり、下面に弁体操作部材１７ｄが垂下した状態に連結されている。弁体１７ｃは、例えば、その弁体操作部材１７ｄを上側に押すと、弁体１７ｃが軸支部（図示省略）を中心として回動して開弁し、弁体操作部材１７ｄを下側に下降させると、弁体１７ｃが軸支部（図示省略）を中心として回動して閉弁するようになっている。その弁体１７ｃは、空気口１５内に雨水、海水等の水が入ると、水の重さで自動的に閉弁するように構成されている。
【００５８】
≪シェルター本体の構成≫
図１及び図３に示すように、シェルター本体２は、防災用シェルター１の本体主要部及び避難用空間１１を形成する部材であり、合成樹脂によって中空状の球体形状に形成されている。シェルター本体２は、このシェルター本体２の外周面を形成する積層部材２１と、この積層部材２１の避難用空間１１側の面に固着され、シェルター本体２の内壁面を形成する緩衝材２２と、によって形成されている。
【００５９】
図９に示すように、積層部材２１は、多数の合成樹脂を積層した多層構造に形成されて強化された強化部材であり、シェルター本体２の外壁部２ａを形成している。積層部材２１は、例えば、ＦＲＰ樹脂２１ａ、ロービングクロス２１ｂ、ＦＲＰ樹脂２１ａ、コア層２１ｃと、ＦＲＰ樹脂２１ａ、ガラス繊維２１ｄの順に積層された複合材からなる。つまり、積層部材２１は、ロービングクロス２１ｂ、コア層２１ｃ及びガラス繊維２１ｄの三種類の合成樹脂の各表面側及び各裏面側にＦＲＰ樹脂２１ａを配置した多層構造になっている。積層部材２１は、その厚さが約１０ｍｍ程度になっている。その積層部材２１の表面は、コーティング材２１ｅによって覆われている。
【００６０】
ＦＲＰ樹脂２１ａは、いわゆる強化プラスチックといわれる合成樹脂であり、金属材料よりも比強度が強く、軽量で、耐熱性、難燃性及び耐食性に優れた素材である。このＦＲＰ樹脂２１ａ，２１ａ間には、ガラス繊維２１ｄ等の相違する３種類の合成樹脂が順に中に入れて積層し、強度をさらに向上させた複合材料である。このため、この積層部材２１で形成されたシェルター本体２は、衝撃に対して強く、折れ難い、壊れ難い、変形し難、腐らない構造の防災用シェルター１にすることが可能となる。なお、ＦＲＰ樹脂２１ａは、これに替えてＣＦＲＰ（Carbon Fiber Reinforced Plastics）樹脂を使用してもよい。
【００６１】
ロービングクロス２１ｂは、縦糸及び横糸にロービングを用いて平織りして製織した織物であり、ガラスクロスと同様に縦方向及び横方向に対して強度を有している。
コア層２１ｃは、プラスチックやカーボングラファイト等の複数の薄い合成樹脂材料を積層して形成された芯材である。
【００６２】
図９に示すように、ガラス繊維２１ｄは、ガラスを溶解して牽引して極細い繊維状にした材料であり、積層部材２１の耐衝撃性、耐熱性、強度及び軽量化を向上させて、積層部材２１の厚みを薄くしても強度を保持することができるようにするための部材である。
コーティング材２１ｅは、シェルター本体２の外周面２ｆを覆う部材であり、塗料からなる。このコーティング材２１ｅは、例えば、ゲルコートコーテイングまたはゲルコート塗装といわれるものからなり、積層部材２１の外壁部２ａの表面に塗装することにより、外壁部２ａの凹凸をなくして光沢のある綺麗な面に仕上げることができると共に、紫外線による劣化を防止し、外壁部２ａに傷が付くのを防止する機能も果たす。なお、コーティング材２１ｅの色は、遠くからでも発見し易い、例えば、蛍光色等の目立つ色が望ましい。
【００６３】
緩衝材２２は、外壁部２ａの積層部材２１の内面全体に固着され内壁部２ｂを形成する内装部材であり、例えば、軟質で、衝撃を吸収するクッション性と、高熱及び低温が避難用空間１１に伝わるのを遮断する断熱性と、に優れた材料である発泡スチロール、ウレタン、あるいは、樹脂製段ボール等からなる。緩衝材２２は、例えば、厚さが約１０ｍｍ程度の球面状に形成された厚板部材からなり、シェルター本体２の避難者Ｍ（図１４参照）が衝突しても、そのときの衝撃を吸収できるようになっている。また、緩衝材２２は、断熱材としての機能も果たすため、冬季や寒冷地において、避難者Ｍを寒さから守り、屋外で使用することも可能であり、また、雪崩用の避難具としても、使用可能となっている。
【００６４】
≪バランサー水床の構成≫
図３に示すように、バランサー水床３（バランサー）は、防災用シェルター１内に避難した避難者Ｍが載る床の部位と、シェルター本体２の内底に設けられて防災用シェルター１の重心のバランスを取るためのバランサー装置と、飲料水Ｗを貯蔵するタンクＴと、の機能を果たす部位である。このバランサー水床３は、シェルター本体２の凹面状に形成された内底部２ｃと、内底部２ｃの周縁部位に載設されて凹面状に形成された部位を閉塞する蓋体３１と、蓋体３１とシェルター本体２の内壁部２ｂとの間の空間３３と、この空間３３内に飲料水Ｗを入れて貯蔵されてなるタンクＴと、その飲料水Ｗを排水及び給水するための水栓弁３２と、蓋体３１の上面に敷設されたカーペット３４と、蓋体３１と内底部２ｃとの接続部位を補強するための補強部材３５と、を備えている。
【００６５】
蓋体３１は、内底部２ｃを閉塞する円板状の樹脂製平板部材からなり、周縁がシェルター本体２の内壁部２ｂに圧接した状態で載設されて、タンクＴの上蓋を構成している。蓋体３１の周縁は、例えば、接着剤で内壁部２ｂに固着されると共に、補強部材３５により、その接着部分が補強されている。蓋体３１は、この蓋体３１の上面に、バランサー水床３内に飲料水Ｗを出し入れするための水栓弁３２と、前記掴まりバー５と、が設けられ、その上面全体にカーペット３４が敷設されてウォータベッド状になっている。
【００６６】
≪水洗コック及び空間の構成≫
図３に示すように、水栓弁３２は、栓を開くと、タンクＴ内の飲料水Ｗが放出されて、避難時に飲むことができる栓であり、例えば、水栓コックからなる。また、この水栓弁３２から飲料水ＷをタンクＴ内に注入できるようになっている。このほか、防災用シェルター１には、飲料水Ｗを供給する専用の供給口や、飲料水Ｗを排出する排出口を設けて、飲料水Ｗを交換し易くしてもよい。
その飲料水Ｗは、いつでも飲むことができるようにするために、所定期間ごとに、定期的に交換しておくことが望ましい。飲料水Ｗは、シェルター本体２の内底部２ｃにあるタンクＴ（空間３３）内に貯蔵されるので、防災用シェルター１の重心用錘としての役目を果たす。
空間３３は、シェルター本体２の内底部２ｃを蓋体３１で閉塞したことによって形成された密閉空間であり、この空間３３に飲料水Ｗを入れることにより、タンクＴが形成されている。
【００６７】
≪把持部の構成≫
図１及び図２に示すように、把持部１３は、避難者Ｍ（図１４参照）が、防災用シェルター１を移動させるときに、手で握って引っ張ったり、持ち上げたりするための部位である。把持部１３は、例えば、シェルター本体２の外壁部２ａの膝の高さ程度の位置に設置された略コ字状の樹脂製部材からなる。この把持部１３は、外壁部２ａの適宜な複数個所に設けられている。
【００６８】
≪掴まりバーの構成≫
掴まりバー５は、シェルター本体２が揺れた際に、避難用空間１１内に避難している避難者Ｍ（図１４参照）が掴まるための棒状柱である。掴まりバー５は、上端がシェルター本体２の天井部２ｅに固定され、下端部が蓋体３１の上面に固定されて、垂直に設けられている。掴まりバー５は、外径が３０ｍｍ程度の鉄製の棒状部材または鋼管からなる。
【００６９】
≪平置台座の構成≫
図１及び図２に示すように、平置台座４は、防災用シェルター１を載置するように形成された支持台であり、円筒状のリング部材からなる。この平置台座４は、内径がシェルター本体２の外径よりも小さく形成された合成樹脂製の部材からなり、屋内の床面上または地面上に配置されて防災用シェルター１を安定した状態に支持する。
【００７０】
≪ＳＯＳ発信装置の構成≫
ＳＯＳ（ＧＰＳ）発信装置（図示省略）は、災害時に防災用シェルター１内に一時的に緊急避難した避難者Ｍが、外部に対して救助の要請を知らせるための発信装置である。ＳＯＳ発信装置は、内壁部２ｂに設置されている。ＳＯＳ発信装置は、携帯電話であっても構わない。
【００７１】
≪防災用シェルターの作用≫
次に、図１〜図９を参照して本発明の実施形態に係る防災用シェルター１の作用を、実験結果を交えながら使用手順に沿って説明する。
【００７２】
防災用シェルター１は、例えば、始めから地震等が来た場合を見込んで、直ぐに、防災用シェルター１内に逃げ込むことが可能な適宜な場所に配置して置くことが望ましい。防災用シェルター１を配置して置く場所としては、例えば、屋内の床の上、あるいは、自宅の庭等の屋外の平らな地面上に平置台座４を置いて、その上に防災用シェルター１を載置して置く。
【００７３】
移動や移設する場合は、例えば、二人でシェルター本体２の外壁部２ａの複数箇所にある把持部１３をそれぞれ手で持ってシェルター本体２を摺動させて移動させ、さらに、シェルター本体２を持ち上げて平置台座４の上に載せて、シェルター本体２の外側底部２ｄを、平置台座４の上側開口部４ａ上に係合させて支持させる。
【００７４】
シェルター本体２を摺動させる場合、シェルター本体２の外側底部２ｄが、球面状に形成されているので、摺動抵抗が小さく、全体が合成樹脂製で軽量であるため、容易に移動させることが可能である。このように、防災用シェルター１は、二人いれば容易に移動させたり、移設したりすることができる。
【００７５】
例えば、大きな予震が発生したときや、緊急地震速報装置のお知らせがあったときには、一般に、大地震が発生するまでに１０秒〜数十秒程度の時間がある。大きな地震の予震やお知らせがあった場合、避難者Ｍは、出入口１２から避難用空間１１に入り込んで避難する。
【００７６】
防災用シェルター１内に入った避難者Ｍは、図８に示す空気口ハッチ１７の弁体操作部材１７ｄを押し上げることにより、弁体１７ｃが開弁して大気中の空気をシェルター本体２内に取り入れることができる。弁体操作部材１７ｄを引っ張れば、弁体１７ｃが空気口ハッチ１７を密閉した状態に閉弁させて、雨水や海水等の浸入防止することができる。
【００７７】
大地震で家屋が倒壊して建材等が防災用シェルター１上に落下しても、また、崖崩れで土砂や瓦礫等が防災用シェルター１上に落下しても、シェルター本体２が強度を有するので、防災用シェルター１内の避難者Ｍが下敷きになって押し潰されるのを防護することができる。つまり、防災用シェルター１は、瓦礫等の障害物が当たっても壊れることなく、さらに、水等が浸入することがない防水性を備えたカプセル状になっているため、防災用シェルター１内に避難した避難者Ｍをあらゆる災害から守ることができる。
【００７８】
図９に示すように、シェルター本体２は、外壁部２ａがＦＲＰ樹脂２１ａ、ロービングクロス２１ｂ、コア層２１ｃ、ガラス繊維２１ｄからなる積層部材２１によって形成されているので衝撃性、強弾性、耐腐食性及び強度を備え、折れない、割れない、変形しない、腐らない、浮くという性質を備えている。さらに、シェルター本体２は、その内壁部２ｂが、衝撃を吸収するクッション性と、熱及び低温が対する断熱性とを備えた緩衝材２２からなるので、保温効果や緩衝性にも優れている。
【００７９】
シェルター本体２の強度を試すために、先が鋭利な５ｋｇの鉄塊と、１００Ｋｇの鉄柱を高さ２ｍの位置からそれぞれ投下する衝撃テストを実際に行った。その結果、シェルター本体２の表面には、僅かに傷が付いただけで、鉄塊及び鉄柱が貫通も、刺さりも、窪みもせず、跳ね飛ばした。
また、防災用シェルター１は、衝撃試験計算上、シェルター本体２の上面に４５Ｋｇにコンパネを載せ、さらに、そのコンパネ上に２０Ｋｇの土のう３００個の６ｔの荷重を負荷しても耐えることができる強度を備えている。
【００８０】
このように、防災用シェルター１は、強度、耐衝撃性、緩衝性等を備えていると共に、外形が球体であるので、瓦礫、鉄骨等の障害物や風雨や水等が当たったとしても、その負荷を受け流し易い形状をしているため、衝撃力を受け難い。
このような防災用シェルター１内に逃げ込んだ避難者Ｍは、避難用空間１１が前記した強度を有するカプセル状のシェルター本体２に被われているので、衝撃を直接受けることが無い。衝撃を受けたとしても、防災用シェルター１が揺れるだけで、凹んだり、割れたり、水が浸入して来ることはない。
【００８１】
図１に示す防災用シェルター１は、揺れた際や、波のある水上に流された際に、タンクＴ内の飲料水Ｗが重心を安定化させる役目も果たすので、揺れを抑制することができる。
防災用シェルター１は、喩え、土砂等によって押されて移動したり、転倒したりしたとしても、内壁部２ｂ全体が緩衝材２２で形成されているので、避難者Ｍが避難用空間１１内で内壁面に衝突しても、衝撃が緩衝材２２で吸収されるため、ケガをすることがない。
したがって、この防災用シェルター１内に避難した避難者Ｍは、あらゆる災害に対して身を守ることが可能である。また、防災用シェルター１は、あらゆる災害に耐えることができる強度を有する球状シェルターであるため、あらゆる災害時の人命救助や避難用シェルターとして使用することが可能である。
【００８２】
また、バランサー水床３上のカーペット３４は、ウォータベットとして使用することもできる。水栓弁３２を操作すれば、タンクＴ内の飲料水Ｗを飲むことができるため、防災用シェルター１内に長時間に亘って避難することも可能である。
【００８３】
地震が静まって、防災用シェルター１内から脱出する場合は、図６及び図７に示すように、防災用シェルター１内にあるロック機構１９の操作レバー部１９ｉを操作して扉部材１６を外方向に押せば、出入口１２が開放され、防災用シェルター１外に出ることができる。また、地震が続くようであれば、防災用シェルター１内にしばらくの間避難していれば安全である。
【００８４】
家屋の倒壊や崖崩れ等により、防災用シェルター１の上に家屋の建材や土砂等の落下物があって、防災用シェルター１内から出ることができない生き埋めの状態の場合には、ＳＯＳ発信装置（図示省略）を操作して救助信号を発信し、助けを呼ぶことによって、早期に救助されることが可能となる。このようにして、避難者Ｍは、大地震時に自分自身の身体を防災用シェルター１によって守ることが可能となる。
【００８５】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。なお、既に説明した構成は同じ符号を付してその説明を省略する。図１０は、本発明の実施形態に係る防災用シェルターの第１変形例を示す斜視図である。
【００８６】
前記実施形態で説明した防災用シェルター１（図１参照）は、図１０に示す防災用シェルター１Ａのように、扉部材１６Ａの下方に位置するシェルター本体２の外周面２ｆにリング状板部材２４を設けても構わない。
【００８７】
このリング状板部材２４は、避難者Ｍ（図１４参照）が扉部材１６Ａからシェルター本体２内に入り込む際に、足を掛ける踏み台となる部材であり、ＦＲＰ樹脂等に合成樹脂製の厚板状部材からなる。リング状板部材２４は、例えば、接着剤によってシェルター本体２の外周面２ｆに水平に固定されている。リング状板部材２４は、上面から下面に向けてボルト等からなる突起物２４ａが適宜な間隔で複数設置されている。この突起物２４ａは、ロープ等を縛り付けて防災用シェルター１Ａが、移動するのを防止するための部材である。
【００８８】
また、図１０に示すように、扉部材１６Ａに設けられて扉部材１６を開閉するための取手１６Ａｆは、コ字型のものであってもよく、その形状は特に限定されない。取手１６Ａｆは、避難者Ｍが手で掴んで扉部材１６Ａを押引して開閉できるものであればよい。扉部材１６Ａには、その取手１６Ａｆを下側に配置して、ヒンジ部材１４Ａを上側に配置し、上下方向に向けて開閉するようにしてもよい。
【００８９】
また、空気口１５Ａは、長円形に形成された空気口ハッチ１７Ａに、複数のパイプ状部材１５Ａａを内嵌したものであっても構わない。この場合、パイプ状部材１５Ａａの避難用空間１１側には、中空状のパイプ状部材１５Ａａを開閉する弁体（図示省略）が設けられている。つまり、空気口１５Ａは、避難用空間１１と大気中とを連通し、水等が浸入しないように閉塞できるものであれば、その構造は特に限定されない。
【００９０】
［第２変形例］
図１１は、本発明の実施形態に係る防災用シェルターの第２変形例を示す図であり、防災用シェルターを避難用ボートとして使用しているときの状態を示す概略図である。図１２は、本発明の実施形態に係る防災用シェルターの第２変形例を示す図であり、扉部材と出入口を示す要部概略分解斜視図である。図１３は、本発明の実施形態に係る防災用シェルターの第２変形例を示す図であり、ロック機構を示す要部拡大概略断面図である。
【００９１】
前記実施形態では、図１等に示すように、地面上や、屋内の床面上に配置して使用する場合を説明したが、図１１に示すように、防災用シェルター１Ｂは、浮力があり、避難用空間１１内に水が浸入するのを防止する完全防水になっているため、津波や河川の氾濫や大雨や洪水等の水害時に、避難用ボート（避難用カプセル型筏）としても使用できる。
【００９２】
この場合、防災用シェルター１Ｂ内には、水害時に海に流されることなどを考慮して、ＳＯＳ発信装置や、津波の際に避難者Ｍを掴まりバー５に固定させるためのベルトや、種々の際に利用できるロープや、防災用シェルター１Ｂが流されるのを抑制するイカリ等を常時、配備しておくことが望ましい。
なお、防災用シェルター１Ｂをボートとして使用する場合には、シェルター本体２の内底の中央部に配置されたバランサー水床３が防災用シェルター１Ｂの重心を安定化させる錘の役目を果たすため、津波、おおしけ、嵐の水上での防災用シェルター１を安定化させることができる。
【００９３】
図１２に示すように、出入口１２Ｂは、この出入口１２Ｂの周縁部に、外側に向けて突出した円環状の出入口枠１２Ｂａを有するものであってもよい。
出入口枠１２Ｂａは、扉部材１６Ｂが閉塞時に外嵌する環状部位であり、略円筒状に形成されている。出入口枠１２Ｂａは、先端面及び外側基端部に、リング状の防水ゴムチューブからなるシール材Ｏ１，Ｏ２が接着剤によって固定されている。
出入口枠１２Ｂａの先端面に設置されるシール材Ｏ１は、例えば、一本のゴム製の中空部材からなり、扉部材１６Ｂを閉めた際に、扉部材１６Ｂの内側周縁部１６Ｂａが当接する。出入口枠１２Ｂａの外側基端部に設置されるシール材Ｏ２は、例えば、二本のゴム製の中空部材を外周方向に二重に並べて配置してなり、扉部材１６Ｂを閉めた際に、扉部材１６Ｂの周縁部先端面１６Ｂｂが当接する。
【００９４】
扉部材１６Ｂは、出入口１２Ｂを、水が浸入しないように密閉した状態に閉めることが可能な開閉体であり、シェルター本体２の内側及び外側から開閉できるようになっている。この扉部材１６Ｂは、円形の開閉板部材１６Ｂｃと、開閉板部材１６Ｂｃの周縁に形成された扉枠部１６Ｂｄと、開閉板部材１６Ｂｃの中央部に設けられた覗き窓１６Ｂｅと、覗き窓１６Ｂｅの周縁に設けられた窓枠ゴム材１６Ｂｆと、開閉板部材１６Ｂｃの外側寄りに設けられた取手１６Ｂｇと、扉部材１６Ｂを閉塞状態にロックするロック機構１９Ｂ（図１３参照）と、ヒンジ部材１４Ｂと、を備えて構成されている。扉部材１６Ｂは、出入口１２Ｂを密閉状態にすることによって、防災用シェルター１Ｂを、水及び瓦礫等の障害物から保護するカプセル状態にすることが可能なドアハッチである。
【００９５】
図１３に示すように、内側周縁部１６Ｂａは、開閉板部材１６Ｂｃの内側周縁部位であって扉部材１６Ｂを閉塞した際に、シール材Ｏ１が当接して密閉状態にする部位である。
周縁部先端面１６Ｂｂは、扉枠部１６Ｂｄの先端面であり、扉部材１６Ｂを閉塞した際に、シール材Ｏ２を介してシェルター本体２の外壁部２ａに密着した状態で圧接される。
開閉板部材１６Ｂｃは、例えば、出入口１２Ｂをシェルター本体２の外側から覆うようにして閉塞する板部材であり、後記するヒンジ部材１４Ｂを中心として回動するように軸支されている。
【００９６】
図１２に示すように、扉枠部１６Ｂｄは、開閉板部材１６Ｂｃの内側周縁部１６Ｂａに一体形成された円筒状の部位であり、出入口枠１２Ｂａの外周部に外嵌及び離間可能に配置されている。
取手１６Ｂｇは、開閉板部材１６Ｂｃを回動させる際に手で持つための摘みであり、シェルター本体２の外面から外側に向けて突出した側面視してコ字状の部材からなる。
【００９７】
図１３に示すように、ロック機構１９Ｂは、シェルター本体２内から扉部材１６Ｂを密閉状態にロックするための部材であり、扉部材１６Ｂに設けられた係止部１９Ｂａと、この係止部１９Ｂａに掛止、離脱する掛止部１９Ｂｂと、掛止部１９Ｂｂを係止部１９Ｂａに対してロック状態、アンロック状態にする操作部１９Ｂｃと、この操作部１９Ｂｃを回動自在に軸支する軸支部１９Ｂｄと、から構成されている。
図１１に示すように、把持部１３Ｂは、避難者Ｍが防災用シェルター１Ｂ内に出入りする際に、足を載せる踏み台になるように、出入口１２Ｂの下側の外壁部２ａに水平に横設してもよい。
【００９８】
次に、図１２を参照して防災用シェルター１Ｂを避難用ボートとして使用する場合について説明する。
特に、海岸に近いゼロメートル地帯では、大雨や津波等の水害時に、家屋等が浸水した場合等に、避難用ボートとして防災用シェルター１Ｂを使用する。この場合、出入口１２Ｂから防災用シェルター１Ｂ内に入り込む。防災用シェルター１Ｂは、筏のように水上を流れる。この場合、一端を把持部１３Ｂに固定したロープ８の他端に設けたアンカー７を水底等に固定させて、防災用シェルター１が流されるのを防止するようにしてもよい。
そして、ＳＯＳ発信装置をＯＮしてＳＯＳの信号を発信させて、救助されるのを待つ。
【００９９】
シェルター本体２の自重９０Ｋｇ、タンクＴ内の飲料水２５Ｋｇ、大人４人相当の重さ土のう２００Ｋｇの合計３１５Ｋｇの防災用シェルター１Ｂを海上から５ｍの高さの位置から海面に投下させる実験を行った。この際、シェルター本体２は、歪みも、割れも、窪みも形成されなかった。また、その防災用シェルター１Ｂは、重さ３００Ｋｇの重りを載せても、バランサー水床３によって水平に保たれると共に、シェルター本体２の２／３以上が海面上に出た状態で浮いた状態に保つことができた。
このため、防災用シェルター１Ｂは、津波、河川の氾濫、土石流、崖崩れ等にも耐えることができると共に、雨水や海水等がシェルター本体２内に浸入することがない。よって、避難者Ｍ（図１４参照）は、防災用シェルター１Ｂ内に避難している限り、津波や障害物等が避難者Ｍに当たることがないため、身を守ることができる。
【０１００】
［第３変形例］
図１４は、本発明の実施形態に係る防災用シェルターの第３変形例を示す概略断面図である。
また、図１４に示すように、防災用シェルター１Ｃは、出入口１２よりも下方のシェルター本体２の下部部位を地中に埋設して固定してもよい。この場合、地面の球面状を窪みを掘ってシェルター本体２を載置する。このようにすれば、前記実施形態で使用した平置台座４（図２参照）が不要となるので、便利である。
【０１０１】
この場合、図１４に示すように、シェルター本体２には、このシェルター本体２の外周面２ｆに、連結部材７１を介してアンカー７を連結してもよい。アンカー７は、防災用シェルター１Ｃが、津波や土石流や濁流によって流されたり、移動したりするのを防止するために、地面や岩やコンクリートに突き刺して固定する部材である。アンカー７は、地面等に打ち込まれる棒状部位７ａと、連結部材７１を連結する連結部７ｂと、を一体形成してなる。連結部材７１は、鎖あるいは綱からなる。
【０１０２】
また、シェルター本体２内の床面のカーペット３４の上方には、避難者Ｍが防災用シェルター１内に潜り入り込んだ際に、腰を掛ける椅子の役目や、クッションとしての役目を果たす浮輪９を配置してもよい。この場合、浮輪９は、例えば、空気を入れて密閉したドーナツ形の中空体からなり、外径がシェルター本体２の内壁部２ｂに当接する大きさに形成されたビニール製のものからなる。なお、浮輪９は、水面に浮くので避難用浮輪または救助用浮輪としても使用可能である。
【０１０３】
把持部１３Ｃには、ロープ８の一端を縛り付けてもよい。ロープ８は、例えば、地上において、防災用シェルター１Ｃを木や柱等の固定物に連結したり、海上において、防災用シェルター１Ｃを他の船舶や、固定物等の種々のものに連結したり、救助用ロープとしても使用することが可能である。
【０１０４】
［第４変形例］
図１５は、本発明の実施形態に係る防災用シェルターの第４変形例を示す概略断面図である。
図１５に示すように、防災用シェルター１Ｄは、シェルター本体２の上部に設けた出入口１２Ｄを残してそれ以外の全体を地中に埋設しても構わない。
この場合、出入口１２Ｄを開閉する扉部材１６Ｄは、シェルター本体２の上部に設置されて、上下方向に開閉するように形成し、取手１６Ｄｆを設ける。
【０１０５】
出入口１２Ｄの内側周縁部には、梯子６と掴まりバー５Ｄとを設ける。梯子６は、シェルター本体２の上部部位に形成された出入口１２Ｄから避難者Ｍが避難用空間１１に出入りする際に、手で掴まって、足を掛けながら出入りするために使用する部材である。この梯子６は、例えば、ロープ状部材や、鎖状部材によって形成された綱梯子からなり、シェルター本体２の天井面に着脱自在に設置できるようになっている。このため、シェルター本体２内の出入口１２Ｄの周辺部には、梯子６を着脱自在に掛止するための梯子取付部２３が設けられている。
梯子取付部２３は、例えば、シェルター本体２の出入口１２Ｄの周辺部の内壁部２ｂに固着され、梯子６の掛止部６ａが掛止されるフック２３ａを備えてなる。
【０１０６】
また、掴まりバー５Ｄは、シェルター本体２内に斜めに設けても構わない。その場合、掴まりバー５Ｄは、上端をシェルター本体２の天井面に固定し、下端をカーペット３４及び蓋体３１を貫通して内底部２ｃに固定する。
このようにすれば、避難者Ｍが梯子６を使って登り降りする際に、斜めの掴まりバー５Ｄに足を掛けることができ、出入口１２Ｄから出入りし易くなる。
【０１０７】
このように、防災用シェルター１Ｄを自宅の庭等の地中に埋設しておくことにより、普段、防災用シェルター１Ｄを使用しないときでも、邪魔にならず、いざ、地震等の災害が発したときに、直ぐに逃げ込むことができる。また、防災用シェルター１Ｄを地中に埋設したことにより、津波や洪水等で流されることもない。さらに、大きな落下物が落ちて来たり、家屋が倒壊したりしても、その落下物や家屋が地面上に倒れるため、防災用シェルター１Ｄが落下物によって押し潰されることがない。
【０１０８】
［第５変形例］
図１６は、本発明の実施形態に係る防災用シェルターの第５変形例を示す概略側面図である。
図１６に示すように、前記防災用シェルター１Ｅは、家等の建物Ｈの下の地下に出入口１２Ｅ以外のこのシェルター本体２の略全体を地中に埋設して、地下シェルターとして使用してもよい。
この場合、自宅等の建物Ｈ内の床面Ｈ１に出入口１２Ｅに連通する避難穴Ｈ２を掘って、この避難穴Ｈ２から出入口１２Ｅを通って避難用空間１１内に出入りできるようになっている。このようにすれば、建物Ｈ内にいた避難者Ｍは、地震があった際に直ぐに逃げ込むことができる。防災用シェルター１Ｅは、床面Ｈ１よりも下にあるので、地上が壊滅的な危害を受けたり、大きな建築材が落下して来たりしても、押し潰されることがない。
【０１０９】
一般に、地下シェルターを設ける場合は、工事費が高価で、設置作業も大掛かりになる。これに対して、本発明の埋め込み型の防災用シェルター１は、一般の地下シェルターの十分の一以下の値段で設置することができると共に、小型で簡易形状であるため、設置工数も少なく短時間で設置することが可能である。
【０１１０】
≪その他の変形例≫
例えば、防災用シェルター１は、家族の人数等に合わせて、家族全員が防災用シェルター１内に入ることが可能な適宜な大きさのものにしてもよい。例えば、防災用シェルター１は、左右の幅を長くして、平面視して長円形あるいは楕円形にしてもよい。
【０１１１】
その他、防災用シェルター１には、緊急避難用備品を袋にまとめて入れておくことが望ましい。緊急避難用備品は、例えば、懐中電灯、ラジオ、乾電池、保存食、携帯酸素、医療品、携帯トイレ等の防災用品である。
【符号の説明】
【０１１２】
１，１Ａ〜１Ｅ  防災用シェルター
２      シェルター本体
２ａ    外壁部
２ｂ    内壁部
２ｃ    内底部
２ｄ    外側底部
２ｅ    天井部
２ｆ    外周面
３      バランサー水床（バランサー）
４      平置台座
５      掴まりバー
６      梯子
１１    避難用空間
１２    出入口
１５    空気口
１６    扉部材
２１    積層部材
２１ａ  ＦＲＰ樹脂
２１ｂ  ロービングクロス
２１ｃ  コア層
２１ｄ  ガラス繊維
２２    緩衝材
２３    梯子取付部
３１    蓋体
３２    水栓弁
Ｔ      タンク
Ｗ      飲料水
【図１】
2013036180.tif 000003
【図２】
2013036180.tif 000004
【図３】
2013036180.tif 000005
【図４】
2013036180.tif 000006
【図５】
2013036180.tif 000007
【図６】
2013036180.tif 000008
【図７】
2013036180.tif 000009
【図８】
2013036180.tif 000010
【図９】
2013036180.tif 000011
【図１０】
2013036180.tif 000012
【図１１】
2013036180.tif 000013
【図１２】
2013036180.tif 000014
【図１３】
2013036180.tif 000015
【図１４】
2013036180.tif 000016
【図１５】
2013036180.tif 000017
【図１６】
2013036180.tif 000018